(57)【要約】      （修正有）【課題】総合建設現場内における各作業員の作業行為を把握するための総合建設現場労務、業務管理装置に関するもので、労務管理者、現場管理者の労務管理負担と各作業員の労務負担を軽減させるとともに、各作業行為の入力を正確かつ迅速に行うことができるようにする。【解決手段】総合建設現場における労務に関する作業行為を入力する移動端末（ＰＤＡ）と、この入力端末から入力される作業行為データに基づいて各種総合建設労務の管理データを入力端末から直接インターネットを使用し別の場所にあるホストコンピューターで集中管理する。また、総合建設現場作業行為とこれに対応したバーコードを記した対応表をさらに備えるとともに、前記対応表のバーコードを読み取るバーコード読み取り器を前記入力端末に設ける。【選択図】      図１
2004157946.tif 000002
【特許請求の範囲】
【請求項１】
総合建設工事現場における労務に関わる作業行為を入力する移動可能な入力端末（ここでは各社市販のＰＤＡ｛Ｐｅｒｓｏｎａｉ  Ｄｉｇｉｔａｌ  Ａｓｓｉｓｔａｎｔの略で個人の情報を管理するツール、すなわち個人のアシスタントをしてくれる電子デバイス）と、この入力端末から入力される作業行為データに基づいて各種総合建設労務の管理データを入力端末から直接インターネットを使用し別の場所にあるホストコンピュターで集中管理する事を特徴とする総合建設工事現場労務、業務管理装置。
【請求項２】
総合建設現場作業行為とこれに対応したバーコードを記した対応表をさらに備えるとともに、前記対応表のバーコードを読み取るバーコード読み取り器を前記入力端末に設けたことを特徴とする請求項１記載の総合建設現場労務、業務管理装置。
【発明の詳細な説明】
【０００１】
【産業上の利用分野】本発明は総合建設現場内における各作業員の作業行為を把握するための総合建設現場労務、業務管理装置に関する。
【０００２】
【構成】各労働者は、移動可能な入力端末（ここでは各社市販のＰＤＡ｛Ｐｅｒｓｏｎａｉ  Ｄｉｇｉｔａｌ  Ａｓｓｉｓｔａｎｔの略で個人の情報を管理するツール、すなわち個人のアシスタントをしてくれる電子デバイス｝１を携帯する。
この入力端末１により、建設現場の労務に関わる各作業行為を入力できる。入力端末１にはバーコード処理とマザーコンピュターにて作成した作業行為データ徴収の為の基礎データインストールしており、各社市販のどのＰＤＡにも対応できる利便性がある。入力端末１からの各作業行為データは、直接入力端末１よりインターネットを利用しメールにて別の場所にあるホストコンピューターに送信されます。
【従来の技術】従来、この種の総合建設現場労務管理装置として、特開２０００−１９８６号公報には労務管理システムや防災管理システムなどの工事管理システムにおいて、インターネットを利用して、リアルタイムに複数の者が管理状況の確認が行える。コンピューターに通信接続可能に設置されたブラウザー付きコンピューターと工事管理者にコンピューターとの通信接続可能に持たされたモバイルパーソナルコンピューターなどのブラウザー機能付き携帯用情報端末を有し、建設現場に出入りする作業者などの工事関係者の出退を記録して出退状況を管理。例えば、工事管理システムのうち労務管理システムについては、磁気テープやバーコードを設けたカードを工事現場に出入りする作業者などの工事関係者に渡し、出退勤時にそのカードをカード読み取り装置に通すことにより、自動的に出退勤の状況が記録されるようにした構成が知られている。
【０００３】
【発明が解決しようとする課題】従来の建設業における労務管理装置は出退といったデータが決まった法則で入手出来る事でしか管理できず。携帯端末を使用しても入力する情報に限界がありました。建設業の特性は作業範囲が広く、作業項目が多種多様多数あり、すべて人による労働が多く、日付、時間、人数といった簡単な情報だけで詳細の情報はすべて後日、人による報告が多く信憑性にかけていました。
【０００４】そこで本発明は上記の問題点を鑑み、労務管理者、現場管理者の労務管理負担と各作業員の労務負担を軽減させるとともに、各作業行為の入力を正確かつ迅速に行うことができる総合建設現場労務、業務管理装置。
【０００５】
【課題を解決するための手段】請求項１に記載の総合建設現場労務、業務管理装置は、総合建設での現場に関わる作業行為を入力する移動可能な入力端末と、この入力端末から入力される作業行為データに基づいて各種総合建設労務、業務の管理を行う集中制御装置からなるものである。
【０００６】また、請求項２に記載の総合建設労務、業務管理装置は、作業行為とこれに対応したバーコードを記した対応表をさらに備えるとともに、前記対応表のバーコードを読み取るバーコード読取器を前記に入力端末に設けたものである。
【０００７】
【作用】請求項１の構成により作業員が、手持ちの入力端末を介して、現場労務管理者及び現場管理者から指示される各種作業行為を、誤りなく即座に入力することが可能となる。
【０００８】また、請求項２の構成により、対応表に記された作業行為に該当するバーコードを、バーコード読取機によりなぞるだけで、随時処理される作業行為を簡単に入力することができる。
【０００９】
【実施例】以下、本発明の各実施例を建設現場の作業項目の１つ資材荷上げ用エレベーターのオペレーターの労務管理にて添付図面を参照して説明する。
建設現場における資材等を荷揚げする事を揚重作業といい、揚重する資材も各社、多種多様にわたりエレベーターオペレーターは随時何時（時間）、何社（搬入者）、何（物名）を、正確に記入しなくてはいけません。
そこで図１にて一連の作業行為を説明いたします。
各オペレーター（作業員）は資材（物品）をエレベーターに乗せる際に、物品に付いてある（搬入者がＩＤカードを持っている場合もある）バーコード（業者認識用）を入力端末１に２のバーコード読取器を設置した携帯端末１でスキャニングし、搬入業者を認識します。その同作業で搬入開始時間も同時認識し、資材（物品）を所定の階数までエレベーターにて荷揚げします。その際に作業員が持っている階数、資材名、業者名などの作業行為に対応した対応表にて目的階数と、資材（物名）を入力端末１にてスキャニングする。目的階数に到着後一つの作業行為が終了しますので、終了を確認する為再度物品に付いてある（搬入者がＩＤカードを持っている場合もある）バーコード（業者認識用）を入力端末１にてスキャニングし終了時間と業者認識を同時で処理し一連の作業を終了します。
【００１０】以上のように処理した作業行為データは入力端末１のメモリーにて保管され随時入力端末１にインターネットを使用できる携帯端末用通信モデム３を設置した入力端末１により別の場所にある、マザーコンピューター４に随時インターネットメールデータにて送信する。
【００１１】ここで図２データフロー概念図１にて説明いたします。まずすべての機能を管理しているソフトはマザーコンピューター４に搭載しているデータ管理ソフト１０であり、このソフトの機能として２つ大きな機能があります。１つは作業行為を管理するためのマスタデータ１１を作成及び管理し、返信された稼動データ管理機能と上記のデータを基に請求書発行、管理機能の２種類。
【００１２】まずマザーコンピーター４より作業行為データ徴収に必要な基礎データをデータ管理ソフト１０にて作成、作成したデータ（マスタデータ１１）をクレードル経由で入力端末１に転送します。入力端末１は転送されたマスタデータ１１を基にして作業行為データを徴収入手したデータは稼動データ１２として保存し、随時入力端末１にインターネット携帯端末用通信モデム３を使用しｅメールの送付ファイルを利用して、マザーコンピューター４に転送します。
【００１３】転送された稼動データはマザーコンピューター内のデータ管理ソフト１０にて管理、保存されます。その稼動データを基にデータ管理ソフト１０の請求書発行機能を使用し各稼動データの期日をいつ〜いつまでと設定、設定したデータを請求書発行機能によりプリンター５を使用し請求書を発行します。
【００１４】なお、本発明は上記実施例に限定されるものではなく、本発明要旨の範囲において種々の変形実施が可能である。例えば、入力端末１としては本発明では市販のＰＤＡを主として使用していますが各ハードでもＣＰＵ搭載であればすべて使用可能です。
【００１５】
【発明の効果】請求項１に記載の総合建設現場労務、業務管理装置は、総合建設での現場に関わる作業行為を入力する移動可能な入力端末と、この入力端末から入力される作業行為データに基づいて各種総合建設労務、業務の管理を行う集中制御装置からなり、労務管理者、現場管理者の労務管理負担と各作業員労務負担を軽減させるとともに、各作業行為の入力を正確かつ迅速に行うことが可能となる。
【００１６】また、請求項２に記載の総合建設労務、業務管理装置は、作業行為とこれに対応したバーコードを記した対応表をさらに備えるとともに、前記対応表のバーコードを読み取るバーコード読取器を前記に入力端末に設けたものであり、各作業員の労務負担を軽減させるとともに、各作業行為の入力を正確かつ迅速に行うことが可能となる。
【図面の簡単な説明】
【図１】各ハードの構成、進行図  実施例をしめす概略構成図
【図２】各ソフト、機能を示す  データフロー概念図
【符号の説明】
ハード
１  入力端末
２  バーコード読取器
３  携帯端末用通信モデム
４  マザーコンピューター
５  プリンター
ソフト  他機能
１０  データ管理ソフト
１１  マスタデータ
１２  稼動データ
【図１】
2004157946.tif 000003
【図２】
2004157946.tif 000004